(57)【要約】【課題】ユーザがＨＤＲ映像の輝度を適切に調整できる受信装置および放送システムを提供する。【解決手段】表示情報出力部は番組のサービス情報に基づいて前記番組の映像が標準の輝度範囲よりも広い輝度範囲を有する高ダイナミックレンジ映像であると判定されるとき指示対象の所定の対象輝度に係る調整点を有する輝度設定画面を出力し、輝度設定部は操作に基づいて前記調整点の目標輝度を設定し、輝度調整部は前記目標輝度を示す輝度調整情報に基づいて、前記調整点の輝度と前記映像の輝度を調整する。【選択図】図３
2017169133.tif 000002
【特許請求の範囲】
【請求項１】
番組のサービス情報に基づいて前記番組の映像が標準の輝度範囲よりも広い輝度範囲を有する高ダイナミックレンジ映像であると判定されるとき指示対象の所定の対象輝度に係る調整点を有する輝度設定画面を出力する表示情報出力部と、
操作に基づいて前記調整点の目標輝度を設定する輝度設定部と、
前記目標輝度を示す輝度調整情報に基づいて、前記調整点の輝度と前記映像の輝度を調整する輝度調整部と、を備える
受信装置。
【請求項２】
前記輝度設定画面は、少なくとも前記対象輝度が前記映像の最大輝度である調整点を１個有し、
前記輝度調整部は、前記映像の輝度を前記対象輝度で与えられる輝度範囲内の輝度から前記目標輝度で与えられる輝度範囲内の輝度に調整する
請求項１に記載の受信装置。
【請求項３】
前記輝度設定部は、前記サービス情報が示す前記映像の輝度情報に基づいて前記対象輝度を設定する
請求項１または請求項２に記載の受信装置。
【請求項４】
前記輝度設定部は、前記輝度調整情報を記憶部に記憶させ、
前記輝度調整部は、前記記憶部に記憶された輝度調整情報に基づいて前記映像の輝度を調整する
請求項１から請求項３のいずれか一項に記載の受信装置。
【請求項５】
前記表示情報出力部は、前記番組の映像が高ダイナミックレンジ映像であると判定されるとき、前記番組の映像の輝度範囲が高ダイナミックレンジ映像であることを示す輝度範囲情報を出力する
請求項１から請求項４のいずれか一項に記載の受信装置。
【請求項６】
前記番組のサービスの制御に関する制御情報に基づいて所定のアプリケーションプログラムが指示する処理の実行を制御するアプリケーション制御部を備え、
前記アプリケーションプログラムは、自装置のコンピュータに
前記輝度設定画面を出力させ、
前記目標輝度を設定させる
請求項１から請求項５のいずれか一項に記載の受信装置。
【請求項７】
送信装置と受信装置を備える放送システムであって、
前記送信装置は、映像を含む番組と前記番組のサービス情報を送信し、
前記受信装置は、
前記サービス情報に基づいて前記番組の映像が標準の輝度範囲よりも広い輝度範囲を有する高ダイナミックレンジ映像であると判定されるとき指示対象の所定の対象輝度に係る調整点を有する輝度設定画面を出力する表示情報出力部と、
操作に基づいて前記調整点の目標輝度を設定する輝度設定部と、
前記目標輝度を示す輝度調整情報に基づいて、前記調整点の輝度と前記映像の輝度を調整する輝度調整部と、を備える
放送システム。
【請求項８】
前記受信装置からの要求に応じて所定のアプリケーションプログラムを通信で送信する通信装置を備え、
前記受信装置は、
前記番組のサービスの制御に関する制御情報に基づいて所定のアプリケーションプログラムが指示する処理の実行を制御するアプリケーション制御部を備え、
前記アプリケーションプログラムは、自装置のコンピュータに
前記輝度設定画面を出力させ、
前記目標輝度を設定させる
請求項７に記載の放送システム。
【発明の詳細な説明】
【技術分野】
【０００１】
本発明は、受信装置および放送システムに関する。
【背景技術】
【０００２】
放送の高度化の一環として、従来よりも広い範囲の輝度を再現することができる映像データの導入が提案されている。かかる映像データは、具体的にはＨＤＲ（Ｈｉｇｈ  Ｄｙｎａｍｉｃ  Ｒａｎｇｅ；ハイダイナミックレンジ、高ダイナミックレンジ、広帯域ダイナミックレンジとも呼ばれる）映像データである。ＨＤＲ映像データは、従来から採用されているＳＤＲ（Ｓｔａｎｄａｒｄ  Ｄｙｎａｍｉｃ  Ｒａｎｇｅ；通常ダイナミックレンジ）映像信号よりも大幅に広い範囲の輝度を表現することができる。ＨＤＲ映像データは、今後、開始される高度広帯域衛星放送において、４Ｋ／８Ｋ解像度とあわせて運用される見込みである。４Ｋ／８Ｋ解像度とは、１フレーム当たりの映像の画素数が３８４０×２１６０個または７６８０×４３２０個である解像度である。
【０００３】
他方、特許文献１には、画像信号に光過敏性発作を誘起させるシーンの光過敏性存在情報を予め付加しておき、光過敏性存在情報を検出し、検出信号に基づいて調光制御信号に基づいてバックライトユニットの調光を実行する映像表示装置について記載されている。
【先行技術文献】
【特許文献】
【０００４】
【特許文献１】特開２００８−３０１１５０号公報
【発明の概要】
【発明が解決しようとする課題】
【０００５】
高度広帯域衛星放送において、受信装置は、伝送されたＨＤＲ映像データに係るＨＤＲ映像として、従来のＳＤＲ映像よりも輝度が高い映像を表示することになる。ユーザがＨＤＲ映像を視聴するまでの間、映像の明るさの程度を予想できないことがある。例えば、初めてＨＤＲ映像を視聴する際、ユーザはその映像がまぶしすぎると感じることがある。
そこで、本発明は、ユーザがＨＤＲ映像の輝度を適切に調整できる受信装置および放送システムを提供することを目的とする。
【課題を解決するための手段】
【０００６】
本発明は上記の課題を解決するためになされたものであり、本発明の一態様は番組のサービス情報に基づいて前記番組の映像が標準の輝度範囲よりも広い輝度範囲を有する高ダイナミックレンジ映像であると判定されるとき指示対象の所定の対象輝度に係る調整点を有する輝度設定画面を出力する表示情報出力部と、操作に基づいて前記調整点の目標輝度を設定する輝度設定部と、前記目標輝度を示す輝度調整情報に基づいて、前記調整点の輝度と前記映像の輝度を調整する輝度調整部と、を備える受信装置である。
【発明の効果】
【０００７】
本発明の実施形態によれば、ユーザがＨＤＲ映像の輝度を適切に調整できる。
【図面の簡単な説明】
【０００８】
【図１】第１の実施形態に係る放送システムの構成を示す概略ブロック図である。
【図２】第１の実施形態に係る送信装置の構成を示す概略ブロック図である。
【図３】第１の実施形態に係る受信装置の構成を示す概略ブロック図である。
【図４】第１の実施形態に係るＭＨ−ＥＩＴのデータ構造の一例を示す図である。
【図５】第１の実施形態に係る映像コンポーネント記述子のデータ構造の一例を示す図である。
【図６】第１の実施形態に係る映像信号伝達特性の設定値の一例を示す図である。
【図７】第１の実施形態に係る輝度設定画面の一例を示す図である。
【図８】第１の実施形態に係る輝度設定画面の他の例を示す図である。
【図９】第１の実施形態に係る輝度記述子の一例を示す図である。
【図１０】第２の実施形態に係る放送システムの構成を示す概略ブロック図である。
【図１１】第２の実施形態に係る受信装置の構成を示す概略ブロック図である。
【図１２】第２の実施形態に係るアプリケーション制御の例を示す図である。
【図１３】第２の実施形態に係るアプリケーションの実行例を示す図である。
【発明を実施するための形態】
【０００９】
以下、本発明の実施形態について、図面を参照して説明する。
［第１の実施形態］
まず、本発明の第１の実施形態に係る放送システム１の概要について説明する。
図１は、本実施形態に係る放送システム１の構成を示す概略ブロック図である。
放送システム１は、送信装置１０と受信装置２０とを含んで構成される。
送信装置１０は、放送番組のコンテンツを表す番組データを、放送伝送路ＢＴを介して受信装置に送信する。コンテンツとして、映像と音声が含まれる。放送伝送路ＢＴは、番組データを不特定多数の受信装置２０に一方的かつ一斉に送信する伝送路である。放送伝送路ＢＴは、例えば、所定の周波数帯域を有する放送波である。放送伝送路ＢＴは、放送波を中継する放送衛星ＢＳを含んで構成されてもよい。放送伝送路ＢＴには、その一部にネットワーク、例えば、専用回線、ＶＰＮ（Ｖｉｒｔｕａｌ  Ｐｒｉｖａｔｅ  Ｎｅｔｗｏｒｋ）が含まれてもよい。受信装置２０は、放送伝送路ＢＴを介して伝送された番組データを受信する。
【００１０】
受信装置２０は、受信した番組データに基づく映像を表示する。受信装置２０は、例えば、テレビジョン受信装置、セットトップボックスなど、番組データを受信し、受信した番組データに係る映像を表示部に表示することができる電子機器である。図１に示す送信装置１０、受信装置２０の数は、それぞれ１個であるが、一般には複数である。また、放送システム１は、メディアトランスポート方式としてＭＭＴ（ＭＰＥＧ  Ｍｅｄｉａ  Ｔｒａｎｓｐｏｒｔ）方式を用いる場合を例にする。
【００１１】
放送システム１は、映像の輝度範囲がそれぞれ異なる複数の放送番組を放送することができる。言い換えれば、放送システム１において、ＨＤＲ放送番組とＳＤＲ放送番組が放送される。ＨＤＲ放送番組は、輝度範囲がＨＤＲであるＨＤＲ映像を構成要素として含む放送番組である。ＳＤＲ放送番組は、輝度範囲がＳＤＲであるＳＤＲ映像を構成要素として含む放送番組である。ＨＤＲ映像を表す映像データ、ＳＤＲ映像を表す映像データを、それぞれＨＤＲ映像データ、ＳＤＲ映像データと呼ぶ。
【００１２】
（映像の輝度）
映像の輝度には、光学輝度と画像輝度との２種類がある。光学輝度とは、光源の明るさを表す物理量の１つである。光学輝度は、例えば、ディスプレイから発光される映像の明るさを表すときに用いられる。本実施形態では、一例として、０〜１００００ｃｄ／ｍ２の輝度範囲をＨＤＲと称し、０〜１００ｃｄ／ｍ２の輝度範囲をＳＤＲと称する。つまり、ＨＤＲは、ＳＤＲによりも広い光学輝度のダイナミックレンジを有する。なお、ＨＤＲ、ＳＤＲの輝度範囲は上述したものに限定されず、例えば、放送システムに応じて任意に定められてよい。以下では、光学輝度のダイナミックレンジを単にダイナミックレンジと呼ぶことがある。画像輝度とは、映像の明るさを表す信号レベルまたはその相対値を意味する。以下の説明では、光学輝度、画像輝度を、それぞれ輝度、輝度値と呼ぶことがある。また、以下に説明する実施形態では、主に輝度値に基づいて輝度の調整を行う場合を例にするが、輝度値と輝度の間を換算することで輝度の調整が行われてもよい。
【００１３】
放送システム１は、ＨＤＲ映像データまたはＳＤＲ映像データを含む放送番組データを伝送する。ＨＤＲ映像データは、例えば、ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ、米国映画テレビ技術者協会）ＳＴ．２０８４−２０１４、ＡＲＩＢ（Ａｓｓｏｃｉａｔｉｏｎ  ｏｆ  Ｒａｄｉｏ  Ｉｎｄｕｓｔｒｉｅｓ  ａｎｄ  Ｂｕｓｉｎｅｓｓｅｓ；一般社団法人  電波産業会）ＳＴＤ−Ｂ６７などにより規定される映像フォーマットで構成される。以下の説明では、この映像フォーマットをＨＤＲ形式と呼ぶ。ＨＤＲ映像データでは、ＨＤＲの輝度範囲内の輝度が輝度値と対応付けられる。例えば、画素毎の輝度値が１０ビットで表されるとき、６４（基準黒輝度）〜９４０または１０１９（ピーク白輝度）の輝度値が０〜１００００ｃｄ／ｍ２の輝度に対応する。ＳＤＲ映像データは、例えば、Ｒｅｃ．ＩＴＵ−Ｒ  ＢＴ．７０９により規定される映像フォーマットで構成される。以下の説明では、この映像フォーマットをＳＤＲ形式と呼ぶ。ＳＤＲ映像データでは、ＳＤＲの輝度範囲内の輝度が輝度値と対応付けられる。ＳＤＲ映像データでは、画素毎の輝度値を表すためのビット数はＨＤＲ映像データよりも少ない。例えば、画素毎の輝度値が８ビットで表されるとき、１６（基準黒輝度）〜２３５（基準白輝度）の輝度値が０〜１００ｃｄ／ｍ２の輝度に対応する。
【００１４】
（送信装置の構成）
次に、本実施形態に係る送信装置１０の構成について説明する。
図２は、本実施形態に係る送信装置１０の構成を示す概略ブロック図である。
送信装置１０は、番組データとサービス情報とを多重化し、多重化した多重化データを放送伝送路ＢＴに送信する。番組データには、映像データと音声データが含まれる。送信装置１０は、符号化制御部１１０、映像符号化部１２０、音声符号化部１３０、サービス情報取得部１４０、多重化部１５０、暗号化部１６０および送信部１７０を含んで構成される。
【００１５】
符号化制御部１１０は、映像符号化部１２０に入力される映像データの符号化処理、音声符号化部１３０に入力される音声データの符号化処理を制御する。符号化制御部１１０は、映像データで表される輝度値、当該輝度値が示す番組毎の輝度範囲を検出する。符号化制御部１１０は、例えば、検出した輝度範囲が所定のＳＤＲの輝度範囲を超えるときＨＤＲ形式を選択し、検出した輝度範囲が所定のＳＤＲの輝度範囲を超えないときＳＤＲ形式を選択する。符号化制御部１１０は、映像符号化部１２０に選択した形式を指示する。なお、符号化制御部１１０は、音声符号化部１３０には所定の形式（例えば、ＩＳＯ／ＩＥＣ  １４４９６−３  ＭＰＥＧ−４  ＡＵＤＩＯで規定されたデータ形式）を指示する。
符号化制御部１１０は、選択した映像データならびに音声データのデータ形式の情報と検出した輝度範囲の情報をサービス情報取得部１４０に出力する。
【００１６】
映像符号化部１２０は、入力される映像データを所定の符号化方式（例えば、ＩＳＯ／ＩＥＣ  ２３００８−２  ＨＥＶＣ：Ｈｉｇｈ  Ｅｆｆｉｃｉｅｎｃｙ  Ｖｉｄｅｏ  Ｃｏｄｉｎｇ）を用いて符号化する。映像符号化部１２０は、符号化によって得られた映像符号化データを含み符号化制御部１１０が指示する形式を有する映像データを生成する。映像符号化部１２０は、生成した映像データを多重化部１５０に出力する。
【００１７】
音声符号化部１３０は、入力される音声データを所定の符号化方式（例えば、ＩＳＯ／ＩＥＣ  １４４９６−３  ＭＰＥＧ−４  ＡＵＤＩＯ）を用いて符号化する。音声符号化部１３０は、符号化によって得られた音声符号化データを含み符号化制御部１１０が指示する形式を有する音声データを多重化部１５０に出力する。
【００１８】
サービス情報取得部１４０は、符号化制御部１１０から入力されたデータ形式の情報と輝度範囲の情報に基づいてサービス情報を生成する。サービス情報とは、番組の提供形態、構成など放送サービスの提供に関する情報である。サービス情報は、例えば、ＭＭＴ（ＭＰＥＧ  Ｍｅｄｉａ  Ｔｒａｎｓｐｏｒｔ）方式におけるＭＭＴ−ＳＩ（Ｓｅｒｖｉｃｅ  Ｉｎｆｏｒｍａｔｉｏｎ）に含まれる。ＭＭＴ−ＳＩには、例えば、ＭＰＴ（ＭＭＴ  Ｐａｃｋａｇｅ  Ｔａｂｌｅ；ＭＭＴパッケージテーブル）、ＭＨ−ＥＩＴ（ＭＨ−Ｅｖｅｎｔ  Ｉｎｆｏｒｍａｔｉｏｎ  Ｔａｂｌｅ、ＭＨ−イベント情報テーブル）が含まれる。ＭＰＴは、番組の構成要素であるアセット、つまり映像、音声のリストや、それらの提供条件を示す情報を含むデータテーブルである。
【００１９】
ＭＨ−ＥＩＴは、番組毎にその番組に関する情報、例えば、番組の名称、放送日時、放送内容の説明などを示す情報を含むデータテーブルである。サービス情報取得部１４０は、番組を構成する映像の輝度範囲に関する情報である輝度情報をＭＨ−ＥＩＴに含める。輝度情報には、映像の輝度範囲がＨＤＲであるか否かを示す映像信号伝達特性が含まれる。サービス情報の例については、後述する。サービス情報取得部１４０は、取得したサービス情報を所定時間（例えば、０．１〜０．５ｍｓ）毎に多重化部１５０に出力する。サービス情報は、番組の進行に応じて更新される。更新されない場合には、同一のサービス情報が複数回繰り返される。これにより、受信装置２０は、任意の時点で受信した放送信号に基づいて番組を提示することができる。
なお、サービス情報取得部１４０には、他の機器から予め生成されたサービス情報が入力されてもよい。
【００２０】
多重化部１５０には、映像符号化部１２０から入力される映像データ、音声符号化部１３０から入力される音声データおよびサービス情報取得部１４０から入力されるサービス情報を多重化して所定の形式（例えば、ＭＭＴ形式）を有する多重化データを生成する。多重化部１５０は、生成した多重化データを暗号化部１６０に出力する。なお、多重化部１５０には、他の機器から映像データと音声データのいずれかまたは両方が入力されてもよい。他の機器からの映像データの形式が映像符号化部１２０からの映像データの形式と同様であれば、映像符号化部１２０は省略されてもよい。他の機器からの音声データの形式が音声符号化部１３０からの音声データの形式と同様であれば、音声符号化部１３０は省略されてもよい。
【００２１】
暗号化部１６０は、多重化部１５０から入力された多重化データを所定の暗号化方式（例えば、ＡＥＳ：Ａｄｖａｎｃｅｄ  Ｅｎｃｒｙｐｔｉｏｎ  Ｓｔａｎｄａｒｄ）を用いて暗号化する。暗号化部１６０は、暗号化により得られた暗号化データを送信部１７０に出力する。
【００２２】
送信部１７０は、暗号化部１６０から入力された暗号化データを変調して所定の周波数帯域を有する放送信号を生成する。送信部１７０は、生成した放送信号を放送伝送路ＢＴに送信する。放送信号は、放送波として伝送される。よって、番組データとサービス情報を多重化した多重化データを搬送する放送信号が放送伝送路ＢＴを介して伝送される。送信部１７０は、例えば、送信器を含んで構成される。なお、番組データとその番組に係るサービス情報とが整合していれば、送信される番組データは必ずしもその時点において送信装置１０に入力された番組データでなくてもよい。番組データが送信される時点は、予め送信装置１０が備える記憶部に記憶され、送信装置１０に入力されるスケジュールデータが示す番組毎の放送時間に基づいて指示されてもよい。
【００２３】
（受信装置の構成）
次に、本実施形態に係る受信装置２０の構成について説明する。
図３は、本実施形態に係る受信装置２０の構成を示す概略ブロック図である。
受信装置２０は、放送受信部２１０、復号部２１１、分離部２１２、入力部２１５、映像復号部２２１、映像処理部２２２、輝度調整部２２３、音声復号部２３１、制御部２４０、記憶部２５０、表示部２２および拡声部２３を含んで構成される。表示部２２および拡声部２３の一方または両方は、受信装置２０の本体と着脱可能であってもよい。
【００２４】
放送受信部２１０には、制御部２４０の選局部２４１からの選局信号が入力される。放送受信部２１０は、選局信号で指示されるチャンネルで伝送される放送信号を受信する。放送受信部２１０は、例えば、放送波を受信するチューナーを含んで構成される。チューナーは、選局信号で指定されたチャンネルに対応した周波数帯域の放送波を受信する。放送受信部２１０は、受信した放送信号を復調し、復調により得られた暗号化データを復号部２１１に出力する。
【００２５】
復号部２１１は、放送受信部２１０から入力される暗号化データを所定の復号方式を用いて復号する。所定の復号方式は、暗号化データの生成に用いられた暗号化方式に対応する復号方式である。復号部２１１は、復号により得られた多重化データを分離部２１２に出力する。
【００２６】
分離部２１２は、復号部２１１から入力される多重化データから番組データとサービス情報とを分離する。また、分離部２１２は、番組データから映像データと音声データとを分離する。分離部２１２は、分離した映像データを映像復号部２２１に出力し、分離した音声データを音声復号部２３１に出力する。分離部２１２は、分離したサービス情報をサービス情報処理部２４２に出力する。
【００２７】
入力部２１５には、ユーザの操作によって生成された操作信号が入力される。入力部２１５は、例えば、リモートコントローラ（制御装置）ＲＣからの操作信号を赤外線で受信する赤外線インタフェースを含んで構成される。操作信号は、例えば、電源のオン／オフ、放送波を受信するチャンネル、輝度や輝度範囲などの情報を指定する。入力部２１５は、操作信号を制御部２４０に出力する。なお、入力部２１５は、ユーザの操作を受け付けるための物理的な部材、例えば、各種のボタン、つまみなどを含んで構成され、操作に応じた操作信号を生成してもよい。入力部２１５は、入力された操作信号を制御部２４０に出力する。
【００２８】
映像復号部２２１には、サービス情報処理部２４２から指示される形式の映像データが分離部２１２から入力される。映像復号部２２１は、入力された映像データについて所定の映像復号方式を用いて復号する。所定の映像復号方式は、映像データの生成に用いられた符号化方式に対応する復号方式である。映像復号部２２１は、復号後の映像データを映像処理部２２２に出力する。
【００２９】
映像処理部２２２は、映像の表示に関する所定の処理を行う。映像処理部２２２は、輝度調整部２２３を含んで構成される。輝度調整部２２３は、入力される映像データがＨＤＲ映像データであるとき、輝度設定部２４４（後述）が設定した輝度調整情報に基づいてＨＤＲ映像データが示す映像の輝度を調整する。輝度調整情報には、調整点ごとの目標輝度に係る輝度値を示す情報が含まれる。調整点は、操作により指示対象となる所定の対象輝度について設定される画面表示である。輝度の調整において、輝度調整部２２３は、調整点が示す調整前の対象輝度を調整後の目標輝度とするように映像の輝度を変換する。また、映像処理部２２２は、表示情報出力部２４３から入力される輝度設定画面データ（後述）が示す輝度設定画面の輝度についても、ＨＤＲ映像データが示す映像と同様にして変換する。輝度調整部２２３は、輝度を調整した映像を示す映像データを表示部２２に出力する。輝度の調整については後述する。
【００３０】
映像処理部２２２には、表示情報出力部２４３から表示情報が入力されることがある。映像処理部２２２は、映像復号部２２１から入力される映像データが示す映像または輝度調整部２２３が輝度を調整した映像に対して表示情報を重畳した映像を示す映像データを生成する。但し、表示情報として輝度設定画面が入力される場合には、映像処理部２２２は、輝度調整部２２３が輝度を調整した輝度設定画面を重畳させる。表示情報には、輝度設定画面などの設定画面以外に、映像の輝度範囲がＨＤＲであることを示す輝度表示情報などがある。輝度設定画面の例については後述する。
【００３１】
表示部２２は、映像処理部２２２から入力される映像データに基づく映像を表示する。表示部２２は、その表示能力としてＨＤＲ映像の輝度範囲の輝度が表示可能なディスプレイである。表示部２２は、例えば、液晶ディスプレイ（ＬＣＤ：Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ等である。有機ＥＬディスプレイは、有機発光ダイオード（ＯＬＥＤ：Ｏｒｇａｎｉｃ  Ｌｉｇｈｔ  Ｅｍｉｔｔｉｎｇ  Ｄｉｏｄｅ）を発光素子として有するディスプレイである。
【００３２】
音声復号部２３１には、サービス情報処理部２４２から指示される形式の音声データが分離部２１２から入力される。音声復号部２３１は、入力された音声データについて所定の音声復号方式を用いて復号する。所定の音声復号方式は、音声データの生成に用いられた符号化方式に対応する復号方式である。音声復号部２３１は、復号後の音声データを拡声部２３に出力する。
【００３３】
拡声部２３は、音声復号部２３１から入力される音声データに基づく音声を再生する。拡声部２３は、例えば、スピーカを含んで構成される。
【００３４】
制御部２４０は、受信装置２０の動作に係る各種の制御を行う。制御部２４０は、選局部２４１、サービス情報処理部２４２、表示情報出力部２４３および輝度設定部２４４を含んで構成される。
【００３５】
選局部２４１は、入力部２１５から入力された操作信号から放送信号を受信するチャンネルを識別する。選局部２４１は、識別したチャンネルを指示する選局信号を生成し、生成した選局信号を放送受信部２１０に出力する。
【００３６】
サービス情報処理部２４２は、分離部２１２から入力されるサービス情報に基づいて番組の提示に係る種々の制御を行う。サービス情報処理部２４２は、サービス情報からＭＨ−ＥＩＴを抽出する。サービス情報処理部２４２は、ＭＨ−ＥＩＴからその時点において受信している番組の映像コンポーネント記述子を検出し、検出した映像コンポーネント記述子に含まれる映像信号伝達特性から映像の輝度範囲がＨＤＲを示すか否かを判定する。ＨＤＲを示すと判定するとき、サービス情報処理部２４２は、映像信号伝達特性を表示情報出力部２４３に出力する。
また、サービス情報処理部２４２は、サービス情報に含まれるＭＰＴに基づいて番組データの構成要素として映像データの形式と音声データの形式を特定する。サービス情報処理部２４２は、特定した映像データの形式を映像復号部２２１に通知し、特定した音声データの形式を音声復号部２３１に通知する。
【００３７】
表示情報出力部２４３は、輝度範囲としてＨＤＲを示す映像信号伝達特性がサービス情報処理部２４２から入力されるとき、記憶部２５０に予め記憶された輝度設定画面データを読み取る。表示情報出力部２４３は、読み取った輝度設定画面データを表示情報として映像処理部２２２と輝度設定部２４４に出力する。輝度設定画面データを映像処理部２２２に出力することによって、輝度設定画面が表示部２２に表示される。
【００３８】
輝度設定画面データは、目標輝度を設定するための輝度設定画面を示すデータである。輝度設定画面には少なくとも１個、つまり１個または複数の調整点が含まれる。少なくとも１個の調整点の対象輝度は、ＨＤＲ映像所定の輝度値の最大値である。調整点は調整前の対象輝度ごとに設けられ、押下されることにより目標輝度を設定するための画面部品として構成される。調整点は、輝度調整部２２３による輝度の調整により設定される目標輝度と等しい輝度で表示される。押下とは、ユーザの操作により生成される操作信号として、その画像の表示領域もしくは表示領域内の座標を指示する操作信号が入力部２１５から入力されることを意味することがある。輝度設定画面の詳細については後述する。
【００３９】
輝度設定部２４４には、表示情報出力部２４３から輝度設定画面データが入力される。輝度設定部２４４は、表示部２２に表示される輝度設定画面内の調整点について押下により指示された目標輝度を定める。輝度設定部２４４は、調整点を表示させる輝度を設定される目標輝度と等しい輝度に定める。但し、輝度設定部２４４は、目標輝度の初期値を対象輝度と等しい輝度と設定する。輝度設定部２４４は、調整点ごとの調整前の対象輝度と、調整後の目標輝度との関係を示す輝度調整情報を生成する。輝度調整情報は、対象輝度を目標輝度に変換するための変換式として表されてもよいし、対象輝度とその対象輝度に対応する目標輝度とのセットを示す変換テーブルとして表されてもよい。輝度設定部２４４は、生成した輝度調整情報を輝度調整部２２３に出力する。
【００４０】
記憶部２５０は、制御部２４０において用いられる設定データ、取得されたデータなど各種のデータを記憶する。記憶部２５０は、ＲＡＭ（Ｒａｎｄｏｍ  Ａｃｃｅｓｓ  Ｍｅｍｏｒｙ）、ＲＯＭ（Ｒｅａｄ−ｏｎｌｙ  Ｍｅｍｏｒｙ）などの各種の記憶媒体を含んで構成される。また、記憶部２５０は、受信した放送番組の映像データや、予め制作された映画などのコンテンツの映像データを記憶する記憶媒体（例えば、ＢＤ（Ｂｌｕ−ｒａｙ（登録商標）Ｄｉｓｃ））を含んで構成されてもよい。記憶部２５０には、放送番組データと、当該放送番組データに多重化されたサービス情報とが対応付けて記憶されてもよい。
【００４１】
（ＭＨ−ＥＩＴ）
次に、サービス情報に含まれるＭＨ−ＥＩＴのデータ構造について説明する。図４は、本実施形態に係るＭＨ−ＥＩＴのデータ構造の一例を示す図である。
図４に示す例では、ＭＨ−ＥＩＴ（ＭＨ−Ｅｖｅｎｔ＿Ｉｎｆｏｒｍａｔｉｏｎ＿Ｔａｂｌｅ（））は、イベント毎にイベント識別（ｅｖｅｎｔ＿ＩＤ）、開始時刻（ｓｔａｒｔ＿ｔｉｍｅ）、継続時間（ｄｕｒａｔｉｏｎ）および記述子領域（ｄｅｓｃｒｉｐｔｏｒ（））を含む。イベント識別とは、イベントの識別番号、つまり番組の識別情報を示す。開始時刻は、番組の開始時刻を示す。開始時刻には日時の情報も含まれる。継続時間は、番組の放送時間長を示す。
【００４２】
また、ＭＨ−ＥＩＴは、イベント識別毎に記述子領域（ｄｅｓｃｒｉｐｔｏｒ（））を含む。記述子領域は、番組に関する各種の情報を表す記述子を格納する領域である。記述子領域には、例えば、映像コンポーネント記述子が記述される。送信装置１０のサービス情報取得部１４０は、放送される番組の映像の輝度に関する輝度情報を記述した映像コンポーネント記述子を含めたＭＨ−ＥＩＴを生成する。受信装置２０のサービス情報処理部２４２は、サービス情報に含まれるＭＨ−ＥＩＴから映像コンポーネント記述子を検出し、検出した映像コンポーネント記述子に記述された映像信号伝達特性を読み取る。
【００４３】
（映像コンポーネント記述子）
次に、映像コンポーネント記述子のデータ構造について説明する。図５は、本実施形態に係る映像コンポーネント記述子のデータ構造の一例を示す図である。
映像コンポーネント記述子（Ｖｉｄｅｏ＿Ｃｏｍｐｏｎｅｎｔ＿Ｄｅｓｃｒｉｐｔｏｒ（））は、番組において提供される映像に関する各種のパラメータや説明が記述される記述子である。映像コンポーネント記述子には、映像信号の伝達特性を識別する情報として映像信号伝達特性（ｖｉｄｅｏ＿ｔｒａｎｓｆｅｒ＿ｃｈａｒａｃｔｅｒｉｓｔｉｃｓ）が含まれる。映像信号伝達特性は、映像の伝達特性、つまり輝度値（画像輝度）と輝度（光学輝度）との関係を示す４ビットの情報フラグである。映像信号伝達特性には、番組で提供される映像の特性に応じて０〜１５のいずれかの整数値が設定される。
【００４４】
図６は、映像信号伝達関数の値とその意味の関係を示す。そのうち、映像信号伝達特性の値が４であるとは、ＶＵＩ（Ｖｉｄｅｏ  Ｕｓａｂｉｌｉｔｙ  Ｉｎｆｏｒｍａｔｉｏｎ）の伝達関数（ｔｒａｎｓｆｅｒ＿ｃｈａｒａｃｔｅｒｉｓｔｉｃｓ）の設定値が１６で指定される伝達関数、つまりＳＭＰＴＥ  ＳＴ  ２０８４に規定のＨＤＲ映像用の伝達関数を意味する。映像信号伝達特性の値が５であるとは、ＶＵＩの伝達関数の設定値が１８で指定される伝達関数、つまりＡＲＩＢ  ＳＴＤ−Ｂ６７に規定のＨＤＲ映像用の伝達関数を意味する。従って、サービス情報処理部２４２は、映像信号伝達関数の値が４または５である場合、放送される映像の輝度範囲がＨＤＲであると判定することができる。また、サービス情報処理部２４２は、映像信号伝達関数の値がそれ以外の値、例えば、１〜３のいずれかの値である場合、放送される映像の輝度範囲がＳＤＲであると判定することができる。
【００４５】
なお、ＳＭＰＴＥ  ＳＴ  ２０８４によれば、ＳＤＲの最大輝度である基準白レベル（ｒｅｆｅｒｅｎｃｅ  ｗｈｉｔｅ）を示すＨＤＲデータの輝度値は５１２（１０ビットの場合）と規定され、基準黒レベル（ｂｌａｃｋ）を示すＨＤＲデータの輝度値の最小値は６４（１０ビットの場合）と規定されている。従って、輝度設定部２４４は、映像信号伝達関数の値が４である場合には、ＨＤＲデータ所定の基準黒レベル、基準白レベルを示す輝度値をそれぞれ６４、５１２（１０ビットの場合）と設定することができる。また、ＡＲＩＢ  ＳＴＤ−Ｂ６７によれば、ＳＤＲの最大輝度である基準白レベルを示すＨＤＲデータの輝度値は５０２（１０ビットの場合）と規定され、基準黒レベルを示すＨＤＲデータの輝度値の最小値は６４（１０ビットの場合）と規定されている。従って、表示情報出力部２４３は、映像信号伝達関数の値が５である場合には、ＨＤＲデータ所定の基準黒レベル、基準白レベルを示す輝度値をそれぞれ６４、５０２（１０ビットの場合）と設定することができる。
【００４６】
（輝度設定画面）
次に、輝度設定画面の例について説明する。図７は、本実施形態に係る輝度設定画面の一例である輝度設定画面Ｌｃ０１を示す図である。
輝度設定画面Ｌｃ０１には、目標輝度チャートＬｄ０１と２組の矢印ボタン対Ａｒ０１、Ａｒ０２が含まれる。目標輝度チャートＬｄ０１は、その左端と右端をそれぞれ調整点として有し、設定された目標輝度に基づいて調整された輝度の範囲を表す画像である。左端の調整点、右端の調整点の対象輝度は、それぞれＨＤＲ映像の輝度の最小値、最大値となる。つまり、目標輝度チャートＬｄ０１において左端、右端の輝度は、調整後の輝度の最小値、最大値となり、左端と右端の中間の領域では左端から右端にかけて輝度が連続的に高くなる（グラデーション）。また、目標輝度チャートＬｄ０１は、向きが水平方向である底辺を有し、垂直方向の幅が左方から右方にかけて拡大する直角三角形の形状を有する。この垂直方向の幅が右方ほど大きいことも、より右方に表される調整後の輝度が高いことをユーザに直感的に認識させることを助長する。
【００４７】
矢印ボタン対Ａｒ０１、Ａｒ０２は、押下により右端、左端の各調整点の目標輝度としてそれぞれ輝度の最大値、最小値を設定するためのボタン対である。従って、矢印ボタン対Ａｒ０１、Ａｒ０２それぞれに係る対象輝度は、ＨＤＲ映像データの輝度値の最大値（例えば、ピーク白レベル）、最小値（例えば、基準黒レベル）である。これらの対象輝度は、それぞれ対応する目標輝度の初期値として設定される。つまり、ＨＤＲ映像データの輝度値の最大値、最小値が、それぞれピーク白レベル、基準黒レベルである場合には、目標輝度チャートＬｄ０１の表示当初の右端、左端の輝度は、それぞれＨＤＲ所定の最大輝度（例えば、１００００ｃｄ／ｍ２）、最小輝度（例えば、０ｃｄ／ｍ２）となる。矢印ボタン対Ａｒ０１、Ａｒ０２は、目標輝度チャートＬｄ０１の右端の右方、左端の左方にそれぞれ隣接する位置に配置されている。矢印ボタン対Ａｒ０１、Ａｒ０２は、それぞれ上向き、下向きの矢印ボタンを各１個含み、上下に並べて構成される。上向きの矢印ボタンは、押下により設定される目標輝度をより高くするボタンである。下向きの矢印ボタンは、押下により設定される目標輝度をより低くするボタンである。
【００４８】
そこで、輝度設定部２４４は、矢印ボタン対Ａｒ０１の上向き矢印ボタンが１回押下されるごと、もしくは押下が所定時間（例えば、０．５〜１秒）継続されるごとに、その時点において設定されている目標輝度の輝度値を所定の変化量ずつ増加させる。所定の変化量は、例えば、１〜３である。輝度設定部２４４は、矢印ボタン対Ａｒ０１の下向き矢印ボタンが１回押下されるごと、もしくは押下が所定時間継続されるごとに、その時点において設定されている目標輝度の輝度値を所定の変化量ずつ減少させる。
同様に、輝度設定部２４４は、矢印ボタン対Ａｒ０２の上向き矢印ボタンが１回押下されるごと、もしくは押下が所定時間継続されるごとに、その時点において設定されている目標輝度の輝度値を所定の変化量ずつ増加させる。また、輝度設定部２４４は、矢印ボタン対Ａｒ０２の下向き矢印ボタンが１回押下されるごと、もしくは押下が所定時間継続されるごとに、その時点において設定されている目標輝度の輝度値を所定の変化量ずつ減少させる。
【００４９】
輝度設定部２４４は、新たな目標輝度が設定される都度、対象輝度としての最小値、最大値にそれぞれ対応づけて設定された目標輝度としての最小値、最大値に基づいて、ＨＤＲ映像信号の変換前の輝度と変換後の輝度との関係を示す輝度調整情報を生成する。
輝度調整情報は、輝度の変換方式に応じた形式で生成される。変換方式としてクリッピング方式が設定される場合には、輝度設定部２４４は、例えば、輝度調整情報として目標輝度としての最小値と最大値をそのまま示す情報を生成する。
輝度調整部２２３は、その輝度調整情報を参照して、映像復号部２２１から入力されるＨＤＲ映像データが示す画素ごとの輝度値が目標輝度の最大値よりも大きいと判定する場合には、調整後の輝度値を目標輝度の最大値に定める。輝度調整部２２３は、映像復号部２２１から入力されるＨＤＲ映像データが示す画素ごとの輝度値が目標輝度の最小値よりも小さい場合と判定する場合には、調整後の輝度値を目標輝度の最小値に定める。
【００５０】
また、輝度設定部２４４は、輝度調整情報として、設定した目標輝度としての最小値、最大値を用いて変換テーブルを生成してもよい。クリッピング方式用の変換テーブルは、目標輝度としての最大値よりも大きい入力値とその最大値が出力値として対応付けられ、目標輝度としての最小値から最大値までの間の入力値とその入力値に等しい値が出力値として対応付けられ、目標輝度としての最小値よりも小さい入力値とその最小値が出力値として対応付けられて形成される。
輝度調整部２２３は、その変換テーブルを参照して、映像復号部２２１から入力されるＨＤＲ映像データが示す画素ごとの輝度値を入力値として、変換テーブルを参照して入力値に対応する出力値を特定する。輝度調整部２２３は、特定した出力値を調整後の輝度値として定める。
【００５１】
変換方式として圧縮方式が設定される場合には、輝度設定部２４４は、輝度調整情報として、例えば、対象輝度であるＨＤＲ映像所定の輝度値の最小値と最大値の間の輝度値を、設定した目標輝度としての最小値と最大値の間の輝度値に線形変換するための変換パラメータを算出する。変換パラメータには、例えば、変換前の輝度値の変化に対する変換後の輝度値の変化の比を示す圧縮率と、変換前の輝度値が０である場合に与えられる変換後の輝度値を示すオフセット値とが含まれる。
輝度調整部２２３は、その変換パラメータに基づいて、映像復号部２２１から入力されるＨＤＲ映像データが示す画素ごとの輝度値から目標輝度の最小値から最大値の間の輝度値を算出し、算出した輝度値を調整後の輝度値として定める。
【００５２】
また、輝度設定部２４４は、輝度調整情報として、設定した目標輝度としての最小値、最大値を用いて圧縮方式用の変換テーブルを生成してもよい。圧縮方式用の変換テーブルは、対象輝度であるＨＤＲ映像所定の輝度値の最小値と最大値の間の各輝度値と、その輝度値について変換パラメータを用いて線形変換して得られる輝度値とを、それぞれ入力値、出力値として対応付けて形成される。
輝度調整部２２３は、その変換テーブルを参照して、映像復号部２２１から入力されるＨＤＲ映像データが示す画素ごとの輝度値を入力値として、変換テーブルを参照して入力値に対応する出力値を特定する。輝度調整部２２３は、特定した出力値を調整後の輝度値として定める。
【００５３】
輝度調整部２２３は、映像復号部２２１から入力されるＨＤＲ映像データの他、輝度設定画面データについても上述した輝度の調整に係る処理を行う。そのため、目標輝度チャートＬｄ０１の調整点である右端、左端の輝度は、それぞれの目標輝度として設定される最大輝度、最小輝度となる。
従って、ユーザは、目標輝度チャートＬｄ０１の右端、左端にそれぞれ表示される最大輝度、最小輝度の部分を見ながら、矢印ボタン対Ａｒ０１、Ａｒ０２を押下する操作を行うことで、その最大輝度、最小輝度が調整される。これにより、ユーザは、操作によりＨＤＲ映像の最大輝度、最小輝度を容易に調整することができる。
【００５４】
次に、輝度設定画面の他の例について説明する。図８は、本実施形態に係る輝度設定画面の他の例である輝度設定画面Ｌｃ１１、Ｌｃ１２を示す図である。
輝度設定画面Ｌｃ１１、Ｌｃ１２は、対象輝度としてＨＤＲ映像の輝度値の最小値、最大値にそれぞれ対応する目標輝度を個々に設定するための画面の例である。輝度設定画面Ｌｃ１１、Ｌｃ１２は、順次表示される。
【００５５】
図８（ａ）は、輝度設定画面の他の例である輝度設定画面Ｌｃ１１を示す図である。輝度設定画面Ｌｃ１１は、放送される映像の輝度範囲がＨＤＲであると判定された直後に表示される。ここで、表示情報出力部２４３は、サービス情報処理部２４２から輝度範囲としてＨＤＲを示す映像信号伝達特性が入力されるとき、記憶部２５０から読み取った輝度設定画面Ｌｃ１１を示す輝度設定画面データを映像処理部２２２に出力する。
【００５６】
輝度設定画面Ｌｃ１１は、目標輝度チャートＬｄ１１、矢印ボタン対Ａｒ１１および決定ボタンＢｔ１１を含んで構成される。
目標輝度チャートＬｄ１１は、表示される輝度が矢印ボタン対Ａｒ１１を用いて設定された目標輝度である画像である。矢印ボタン対Ａｒ１１に係る対象輝度は、ＨＤＲ映像データに所定の輝度値の最大値（例えば、ピーク白レベル）であり、目標輝度の初期値として設定される輝度値である。つまり、矢印ボタン対Ａｒ１１は、押下により目標輝度として輝度の最大値を設定するためのボタン対である。また、目標輝度チャートＬｄ１１は、変換前の変換後の輝度の最大値を与える調整点である。図８（ａ）に示す例では、目標輝度チャートＬｄ１１は、輝度設定画面Ｌｃ１１のうち矢印ボタン対Ａｒ１１と決定ボタンＢｔ１１の領域を除くほぼ全体を占める。そのため、設定される目標輝度の変化に応じて、輝度設定画面Ｌｃ１１のほぼ全体の輝度が変化する。
【００５７】
矢印ボタン対Ａｒ１１は、上向き、下向きの矢印ボタンを各１個含む。輝度設定部２４４は、矢印ボタン対Ａｒ０１と同様の手法で、矢印ボタン対Ａｒ１１への押下に応じてＨＤＲ映像に所定の輝度の最大値に対応する目標輝度を設定する。図８（ａ）に示す例では、矢印ボタン対Ａｒ１１は、輝度設定画面Ｌｃ１１の左下端から所定の範囲内の位置に表示されている。
【００５８】
決定ボタンＢｔ１１は、押下によりＨＤＲ映像に所定の輝度値の最大値に対応する目標輝度の設定を終了するためのボタンである。そこで、表示情報出力部２４３は、決定ボタンＢｔ１１が押下されるとき輝度設定画面Ｌｃ１１を示す輝度設定画面データの出力を停止する。これにより、輝度設定画面Ｌｃ１１が消去される。そして、表示情報出力部２４３は、記憶部２５０から予め記憶しておいた輝度設定画面Ｌｃ１２を示す輝度設定画面データを読み取る。表示情報出力部２４３は、読み取った輝度設定画面データを映像処理部２２２に出力する。これにより、輝度設定画面Ｌｃ１２が表示部２２に新たに表示される。
【００５９】
図８（ｂ）は、輝度設定画面の他の例である輝度設定画面Ｌｃ１２を示す図である。輝度設定画面Ｌｃ１２は、目標輝度チャートＬｄ１２、矢印ボタン対Ａｒ１２および決定ボタンＢｔ１２を含んで構成される。
目標輝度チャートＬｄ１２は、表示される輝度が矢印ボタン対Ａｒ１２を用いて設定された目標輝度である画像である。矢印ボタン対Ａｒ１２に係る対象輝度は、ＨＤＲ映像データに所定の輝度値の最小値（例えば、基準黒レベル）であり、目標輝度の初期値として設定される輝度値である。
矢印ボタン対Ａｒ１２は、押下により目標輝度として輝度の最小値を設定するためのボタン対である。矢印ボタン対Ａｒ１２は、上向き、下向きの矢印ボタンを各１個含む。輝度設定部２４４は、矢印ボタン対Ａｒ０２と同様の手法で、矢印ボタン対Ａｒ１２への押下に応じてＨＤＲ映像に所定の輝度値の最小値を対象輝度とする目標輝度を設定する。
【００６０】
決定ボタンＢｔ１２は、押下によりＨＤＲ映像に所定の輝度値の最小値に対応する目標輝度の設定を終了するためのボタンである。そこで、表示情報出力部２４３は、決定ボタンＢｔ１２が押下されるとき輝度設定画面Ｌｃ１２を示す輝度設定画面データの出力を停止する。これにより、輝度設定画面Ｌｃ１２の表示が停止される。
そして、輝度設定部２４４は、ＨＤＲ映像に所定の輝度値の最小値、最大値のそれぞれについて設定された目標輝度を示す輝度調整情報を生成し、生成した輝度調整情報を輝度調整部２２３に出力する。
【００６１】
なお、図７に示す輝度設定画面Ｌｃ０１にも決定ボタン（図示せず）が含まれてもよい。表示情報出力部２４３は、その決定ボタンが押下されるとき輝度設定画面Ｌｃ０１を示す輝度設定画面データの出力を停止してもよい。
また、表示情報出力部２４３は、輝度設定画面Ｌｃ０１、Ｌｃ１１、Ｌｃ１２の表示開始後もしくは矢印ボタン対Ａｒ０１、Ａｒ１１、Ａｒ１２が押下されない期間が所定時間（例えば、３０秒）以上経過するとき、それらの輝度設定画面データの出力を停止してもよい。
【００６２】
図７に示す輝度設定画面Ｌｃ０１、図８に示す輝度設定画面Ｌｃ１１、Ｌｃ１２は、それぞれ表示部２２の表示領域の全体を占めるが、これには限られない。輝度設定画面Ｌｃ０１、Ｌｃ１１、Ｌｃ１２は、ユーザが視認ならびに操作することができる大きさであれば、表示部２２の表示領域の一部であってもよい。輝度設定画面Ｌｃ０１、Ｌｃ１１、Ｌｃ１２の一辺の長さは、例えば、表示部２２の表示領域の一辺の長さの１／８〜１／３程度であってもよい。
【００６３】
なお、輝度設定部２４４は、調整点ごとに設定した目標輝度に基づいて生成した輝度調整情報を記憶部２５０に記憶してもよい。記憶部２５０に記憶された輝度調整情報が存在する場合、表示情報出力部２４３は、輝度設定画面データを映像処理部２２２への出力を停止してもよい。その場合、輝度調整部２２３は、記憶部２５０から読み取った輝度調整情報に基づいて映像復号部２２１から入力されるＨＤＲ映像データが示す映像の輝度を調整する。
これにより、設定された目標輝度に基づく輝度調整情報がＨＤＲ映像の輝度の調整に用いられるので、再度の目標輝度の設定が不要になる。また、輝度設定画面の表示がなされないので、映像の視認が妨げられない。
【００６４】
また、輝度設定部２４４は、輝度設定に係る操作信号が入力されるまでの間、輝度調整部２２３に対してＨＤＲ映像の輝度をＳＤＲ映像の所定の輝度範囲内の輝度に制限させてもよい。輝度設定に係る操作信号の入力とは、輝度設定に係る指示、例えば、決定ボタンへの押下または矢印ボタン対への押下である。ＳＤＲ映像の所定の輝度範囲内の輝度に調整させる際、輝度設定部２４４は、例えば、ＨＤＲ映像に所定の輝度値の最小値、最大値のそれぞれの目標輝度として基準黒レベル、基準白レベルを示す輝度調整情報を生成し、生成した輝度調整情報を輝度調整部２２３に出力する。輝度調整部２２３は、映像復号部２２１から入力されるＨＤＲ映像データが示す輝度値を、輝度設定部２４４からの輝度調整情報に基づいて変換する。
【００６５】
ここで、輝度設定部２４４は、上述したように映像信号伝達特性の設定値に基づいて基準白レベルを与える輝度値を特定することができる。基準白レベルは、ＳＤＲ映像に所定の最大輝度を与えるＨＤＲ映像データの輝度値に相当する。なお、基準黒レベルは、ＳＤＲ映像に所定の最小輝度ならびにＨＤＲ映像に所定の最小輝度として共通の最小輝度を与える輝度値である。
但し、輝度設定画面については、輝度設定部２４４は、ＳＤＲ映像所定の輝度範囲内の輝度に調整しない。つまり、輝度設定画面に表示される各調整点の輝度を、ＨＤＲ映像の最大輝度と最小輝度のままとする。
【００６６】
（輝度表示情報）
表示情報出力部２４３は、映像の輝度範囲がＨＤＲであることを示す映像信号伝達特性が入力されるとき、表示情報として輝度範囲がＨＤＲであることを示す輝度表示情報を映像処理部２２２に出力してもよい。これにより、輝度表示情報が重畳された表示部２２に表示される。そのため、ユーザは、表示されている映像の輝度範囲がＨＤＲであることを直ちに認識することができる。輝度表示情報は、例えば、「ＨＤＲ」の文字を示すＯＳＤ（Ｏｎ  Ｓｃｒｅｅｎ  Ｄｉｓｐｌａｙ）データであってもよいし、「ＨＤＲ」の文字が含まれたアイコンの画像を示す画像データであってもよい。輝度表示情報を取得する際、表示情報出力部２４３は、例えば、予め記憶部２５０に記憶された輝度表示情報を読み取る。輝度表示情報は、例えば、表示部２２の表示領域の右上端から所定範囲内に表示される。
【００６７】
なお、輝度表示情報の表示は、ＨＤＲ映像の輝度範囲として設定される輝度範囲がＳＤＲ所定の輝度範囲以下になる場合であっても継続されてもよい。ユーザは、表示されている映像の輝度範囲に関わらず放送されている映像の輝度範囲がＨＤＲであることを認識することができる。そのため、操作によって映像の輝度範囲を拡大するための動機が維持される。輝度範囲がＳＤＲ映像に所定の輝度範囲以下になるか否かの判定の際、表示情報出力部２４３は、目標輝度として設定される最大値が、映像信号伝達特性の設定値で指示される基準白レベルを与える輝度値以下であるか否かを判定すればよい。この基準白レベルは、上述したように上述したようにＳＤＲ映像に所定の最大輝度を与えるＨＤＲ映像データの輝度値に相当する。
【００６８】
表示情報出力部２４３は、番組の変化に応じて映像の輝度範囲がＨＤＲに所定の輝度範囲であることを示す映像信号伝達特性が入力されなくなるとき、輝度表示情報の出力を停止する。これにより、輝度表示情報の表示が消去される。番組の変化は、時間経過に応じた番組の切り替わり、放送信号を受信するチャンネルの変更によって起こりうる。
また、映像の輝度範囲がＨＤＲに所定の輝度範囲であることを示す映像信号伝達特性の入力後、所定時間（例えば、１５〜３０秒）経過後に、表示情報出力部２４３は、輝度表示情報の出力を停止してもよい。
【００６９】
（変形例）
次に、本実施形態の一変形例について説明する。上述した実施形態では、輝度調整の対象となる対象輝度がＨＤＲ映像に所定の輝度値の最大値、最小値である場合を例にしたが、本変形例では、番組で提供される映像の輝度値の最大値、最小値を対象輝度として用いる。
本変形例に係る送信装置１０のサービス情報取得部１４０は、番組ごとの輝度情報として当該番組で提供される映像の輝度値の最大値と最小値を示す輝度情報を含むサービス情報を取得する。
より具体的には、サービス情報取得部１４０は、入力される当該番組の映像データの輝度値の最大値と最小値を検出し、検出した最大値と最小値とを記述した輝度記述子を生成する。サービス情報取得部１４０は、生成した輝度記述子を当該番組に係る記述子領域に含めてＭＨ−ＥＩＴを生成する。
【００７０】
図９は、本実施形態に係る輝度記述子（Ｌｕｍｉｎａｎｃｅ＿Ｄｅｓｃｒｉｐｔｏｒ）の一例を示す図である。
輝度記述子は、記述子タグ（ｄｅｓｃｒｉｐｔｏｒ＿ｔａｇ）および輝度記述（ｔｅｘｔ＿ｃｈａｒ）を含んで構成される。記述子タグには、当該記述子が輝度記述子であることを示すタグ（識別子）として、例えば、「０ｘ８０３Ａ」が記述される。輝度記述は、一連の輝度情報が記述される１バイト単位のフィールドである。輝度記述には、輝度値の最大値と最小値が記述される。なお、輝度記述には、映像信号伝達特性が記述されてもよい。その場合には、映像コンポーネント記述子に映像信号伝達特性が記述されなくてもよい。
【００７１】
受信装置２０のサービス情報処理部２４２は、サービス情報に含まれるＭＨ−ＥＩＴから放送されている番組に係る映像の輝度記述子を検出し、検出した輝度記述子に記述された輝度情報として輝度値の最大値と最小値を読み取る。サービス情報処理部２４２は、読み取った輝度値の最大値と最小値の情報を輝度設定部２４４に出力する。
輝度設定部２４４は、ＨＤＲ映像データの輝度値の最小値、最大値に係る調整点の対象輝度として、それぞれサービス情報処理部２４２から入力された輝度値の最小値、最大値に定める。よって、目標輝度の初期値として設定される輝度値の最小値、最大値は、それぞれ放送される番組で提供されるＨＤＲ映像データの輝度値の最小値、最大値となる。そのため、表示部２２に表示される輝度設定画面に含まれる調整点の輝度がその映像の最小輝度、最大輝度となる。従って、ユーザは、番組で提供される映像の輝度範囲を直感的に認識することができる。そのため、ユーザは、認識した輝度範囲に基づいてその輝度範囲の調整の要否を判定することができ、その輝度範囲から所望の輝度範囲に容易に調整することができる。
【００７２】
以上に説明したように、本実施形態に係る受信装置２０は、番組のサービス情報に基づいて番組の映像が標準の輝度範囲よりも広い輝度範囲を有するＨＤＲ映像であると判定されるとき指示対象の所定の対象輝度に係る調整点を有する輝度設定画面を出力する表示情報出力部２４３を備える。また、受信装置２０は、操作に基づいて調整点の目標輝度を設定する輝度設定部２４４と、目標輝度を示す輝度調整情報に基づいて、輝度設定画面に表される調整点の輝度と番組の映像の輝度を調整する輝度調整部２２３を備える。
この構成により、表示される調整点の輝度が操作に基づいて設定された目標輝度となり、調整点の輝度が指示対象の対象輝度から設定された目標輝度となるようにＨＤＲ映像の輝度が調整される。そのため、ユーザは、輝度が目標輝度となる調整点を見ながら、調整点の目標輝度を操作によって設定することができる。従って、ユーザは、ＨＤＲ映像の輝度を所望の輝度に容易に調整することができる。
【００７３】
また、受信装置２０において、輝度設定画面は、少なくとも対象輝度がＨＤＲ映像の最大輝度である調整点を１個有する。また、輝度調整部２２３は、ＨＤＲ映像の輝度を対象輝度で与えられる輝度範囲内の輝度から目標輝度で与えられる輝度範囲内の輝度に調整する。
この構成により、対象輝度としてＨＤＲ映像の最大輝度に係る調整点の目標輝度が操作により与えられ、最大輝度で与えられる輝度範囲内の輝度が目標輝度で与えられる輝度範囲内の輝度に変換される。そのため、ユーザは、最大輝度を目標輝度とする調整点を見ながら、調整点の目標輝度を操作によって設定することができる。そのため、ユーザは、受信したＨＤＲ映像の輝度を所望の目標輝度で与えられる輝度範囲内の輝度に容易に調整することができる。
【００７４】
輝度設定部２４４は、番組のサービス情報が示す映像の輝度情報に基づいて対象輝度を設定する。
この構成により、調整点に係る対象輝度が番組で提供されるＨＤＲ映像の輝度情報に基づいて目標輝度の初期値として定められる。番組で提供されるＨＤＲ映像の輝度分布に応じて輝度が調整された調整点を見ながら、調整点の目標輝度を操作によって設定することができる。そのため、ユーザは、受信したＨＤＲ映像の輝度を所望の目標輝度で与えられる輝度範囲内の輝度に容易に調整することができる。
【００７５】
輝度設定部２４４は、輝度調整情報を記憶部２５０に記憶させ、輝度調整部２２３は、記憶部２５０に記憶された輝度調整情報に基づいてＨＤＲ映像の輝度を調整する。
この構成により、輝度調整画面を再度表示して目標輝度が設定されなくても、目標輝度に基づいて設定された輝度調整情報を用いてＨＤＲ映像の輝度が調整される。
【００７６】
表示情報出力部２４３は、番組の映像がＨＤＲ映像であると判定されるとき、番組の映像の輝度範囲がＨＤＲであることを示す輝度範囲情報を出力する。
この構成により、番組の輝度範囲がＨＤＲであることが表示される。そのため、調整により表示される映像の輝度範囲が狭くなっても、表示している映像がＨＤＲ映像であることをユーザに認識させることができる。
【００７７】
（第２の実施形態）
次に、本発明の第２の実施形態について説明する。第１の実施形態と同一の構成については、同一の符号を付してその説明を援用する。
図１０は、本実施形態に係る放送システム１の構成を示す概略ブロック図である。図１に示す例では、放送システム１は、送信装置１０および受信装置２０にさらにサーバ装置３０を含んで放送通信連携システムとして構成される。サーバ装置３０は、例えば、放送事業者または番組提供者が管理する通信装置である。
【００７８】
通信伝送路ＣＴは、サーバ装置３０と受信装置２０との間で各種のデータを双方向的に伝送する伝送路である。通信伝送路ＣＴは、例えば、インターネット、公衆無線通信網、等の広域通信網を含む。通信伝送路ＣＴには、一部に構内通信網（ＬＡＮ：Ｌｏｃａｌ  Ａｒｅａ  Ｎｅｔｗｏｒｋ）や専用のアクセス網が含まれてもよい。なお、通信伝送路ＣＴを介して各種のデータを伝送（または、送信、受信）することを、「通信で伝送（または、送信、受信）する」と呼ぶことがある。
【００７９】
サーバ装置３０は、受信装置２０からアプリケーション要求信号を受信するとき、その応答としてアプリケーションプログラム（以下、アプリケーションと呼ぶ）を受信装置２０に送信する。アプリケーション要求信号は、対象のアプリケーションの要求を指示する信号である。当該アプリケーションは、所定の記述言語（例えば、ＨＴＭＬ５）で記述され、番組の提示に係る各種の機能を実現するための命令が記述される。アプリケーションの機能例については、後述する。
【００８０】
本実施形態に係る送信装置１０のサービス情報取得部１４０（図２）は、さらにアプリケーション制御情報を取得し、取得したアプリケーション制御情報の所在を示す情報をＭＰＴに記述し、そのＭＰＴとアプリケーション制御情報を含んだサービス情報を生成する。アプリケーション制御情報の所在を示す情報は、アプリケーションサービス記述子に記述され、ＭＰＴのＭＰＴ記述子領域に格納される。アプリケーション制御情報は、アプリケーションの取得先情報としてサーバ装置３０のＵＲＬ（Ｕｎｉｆｏｒｍ  Ｒｅｓｏｕｒｃｅ  Ｌｏｃａｔｏｒ）、アプリケーションの起動、停止、等の実行を制御するための情報が含まれる。サーバ装置３０の所在は、ＵＲＬに代えてＩＰアドレスを用いて表されてもよい。制御情報は、例えば、所定のデータ形式を有するアプリケーション情報テーブル（ＭＨ−ＡＩＴ：Ａｐｐｌｉｃａｔｉｏｎ  Ｉｎｆｏｒｍａｔｉｏｎ  Ｔａｂｌｅ）として表される。
【００８１】
本実施形態では、アプリケーションに輝度設定画面表示コマンドおよび輝度設定コマンドが含まれてもよい。輝度設定画面表示コマンドは、受信装置２０（図３）の表示情報出力部２４３に対して表示部２２に輝度設定画面を表示させるためのコマンドである。輝度設定コマンドは、輝度設定部２４４に対して調整点ごとの目標輝度を設定させ、設定させた目標輝度に基づいて輝度調整情報を生成させるためのコマンドである。アプリケーションには、輝度設定画面を示す輝度設定画面データと、輝度設定画面と放送映像のレイアウトを示すレイアウトデータが含まれてもよい。また、アプリケーションには、番組で提供される映像の輝度情報が含まれてもよい。その場合には、ＭＨ−ＥＩＴまたはＭＰＴにおいて輝度情報の記述が省略されてもよい。
【００８２】
多重化部１５０は、さらにアプリケーション制御情報を多重化して多重化データを生成する。受信装置２０のサービス情報処理部２４２（図１１）は、分離部２１２から入力されるサービス情報からアプリケーション制御情報としてＭＨ−ＡＩＴを分離する。また、ＭＨ−ＥＩＴまたはＭＰＴにおいて輝度情報の記述が省略される場合には、サービス情報処理部２４２は、サーバ装置３０から受信したアプリケーションから輝度情報を抽出する。
【００８３】
（受信装置）
次に、本実施形態に係る受信装置２０の構成について説明する。図１１は、本実施形態に係る受信装置２０の構成を示す概略ブロック図である。
本実施形態に係る受信装置２０は、さらに通信部２６０を含んで構成される。
通信部２６０は、通信伝送路ＣＴを介して接続されたサーバ装置３０から受信した各種の受信データを制御部２４０に出力し、制御部２４０から入力された各種の送信データをサーバ装置３０に送信する。通信部２６０は、例えば、通信インタフェースである。
【００８４】
サービス情報処理部２４２は、さらにアプリケーション制御部２４５とアプリケーション実行部２４６を含んで構成される。
アプリケーション制御部２４５は、分離部２１２から入力されるアプリケーション制御情報に基づいてアプリケーションを取得し、取得したアプリケーションに記述された命令で指示される処理を制御する。なお、アプリケーションに記述された命令で指示される処理を行わせることを、「アプリケーションを実行する」または「アプリケーションの実行」と呼ぶ。
【００８５】
アプリケーション制御部２４５は、アプリケーション制御情報からアプリケーションの取得先情報を抽出し、抽出した取得先情報で指示されるサーバ装置３０にアプリケーション要求信号を送信する。アプリケーション制御部２４５は、その応答としてサーバ装置３０からアプリケーションを受信し、受信したアプリケーションをアプリケーション実行部２４６に出力する。アプリケーション制御部２４５は、アプリケーション制御情報に含まれる各種のコマンドに基づいてアプリケーション実行部２４６にアプリケーションの実行を制御する。
【００８６】
アプリケーション実行部２４６は、アプリケーション制御部２４５から入力されたアプリケーションを実行する。アプリケーション実行部２４６は、アプリケーションに記述されたコマンドに基づいて、上述した映像の提示に関する処理を他の機能部に実行させる。アプリケーション実行部２４６は、例えば、輝度設定画面表示コマンドに基づいて表示情報出力部２４３に輝度設定画面データを取得させ、取得させた輝度設定画面データを映像処理部２２２に出力する。当該アプリケーションに輝度設定画面データが含まれている場合には、表示情報出力部２４３は、当該アプリケーションから輝度設定画面データを抽出する。当該アプリケーションに輝度設定画面データが含まれていない場合には、表示情報出力部２４３は、記憶部２５０から予め記憶された輝度設定画面データを読み取る。また、アプリケーション実行部２４６は、輝度設定部２４４に対して、輝度設定コマンドに基づいて輝度設定画面に表示される調整点に係る目標輝度を操作信号の指示に応じて設定させる。そして、アプリケーション実行部２４６は、輝度設定部２４４に対して、設定させた目標輝度に基づいて輝度調整情報を生成させ、生成させた輝度調整情報を輝度調整部２２３に出力させる。輝度調整部２２３は、輝度設定部２４４から入力された輝度調整情報に基づいて映像復号部２２１からのＨＤＲ映像データと表示情報出力部２４３からの輝度設定画面データが示す映像の輝度を調整する。
【００８７】
（アプリケーション制御）
次に、本実施形態に係るアプリケーション制御の例について説明する。アプリケーション制御情報には、起動指示（ＡＵＴＯＳＴＡＲＴ）、待機（ＰＲＥＳＥＮＴ）、終了（ＫＩＬＬ）などの制御情報が含まれる。図１２は、本実施形態に係るアプリケーション制御の例を示す図である。図１２に示す例は、取得したアプリケーションに記述されるコマンドが示す動作について、アプリケーション制御部２４５が起動指示に基づいて実行を開始させ、終了指示に基づいて実行を終了させることを示す。アプリケーション制御部２４５が起動を指示する時期は、例えば、サービス情報処理部２４２が、放送信号で搬送されるサービス情報から放送される番組で提供される映像の輝度範囲がＨＤＲであることを示す映像信号伝達特性を検出した後である。アプリケーション制御部２４５が起動を指示する時期は、その他、入力部２１５から輝度設定を指示する操作信号が入力されるときであってもよい。アプリケーション制御部２４５が終了を指示する時期は、例えば、当該アプリケーションの起動から所定時間（例えば、１５秒〜１分）経過後、最後の目標輝度の設定から所定時間経過後、当該番組の受信を終了する時点、のいずれであってもよい。
【００８８】
（実行例）
次に、アプリケーションの実行例について説明する。
図１３は、本実施形態に係るアプリケーションの実行例を示す図である。
図１３に示す実行例は、アプリケーションの起動後に表示される画面の表示例を示す。この例では、表示部２２の表示領域には、放送映像Ｂｉ２１と輝度設定画面Ｌｃ２１が左右に並べて配置されている。この配置は、アプリケーションに含まれるレイアウトデータが示す配置である。アプリケーション実行部２４６は、レイアウトデータを映像処理部２２２に出力し、映像処理部２２２に当該レイアウトデータで指示される領域に放送映像Ｂｉ２１と輝度設定画面Ｌｃ２１を配置してなる表示画像を示す画像データを生成させる。
【００８９】
放送映像Ｂｉ２１は、映像復号部２２１から入力されたＨＤＲ映像データが示すＨＤＲ映像について、アプリケーション実行部２４６が輝度調整部２２３に輝度を調整させた映像である。放送映像Ｂｉ２１の右上端には、輝度表示情報の一例として「ＨＤＲ」の文字が表示されている。この輝度表示情報は、アプリケーション実行部２４６が映像処理部２２２に輝度を調整したＨＤＲ映像に重畳させた情報である。
【００９０】
輝度設定画面Ｌｃ２１は、表示情報出力部２４３にアプリケーションから抽出させた輝度設定画面データが示す輝度設定画面について、アプリケーション実行部２４６が輝度調整部２２３に輝度を調整させた映像である。輝度設定画面Ｌｃ２１の構成は、輝度設定画面Ｌｃ０１（図８）と同様である。アプリケーション実行部２４６は、上述したように輝度設定部２４４に輝度設定画面Ｌｃ０１内の調整点について押下に応じて目標輝度を設定させ、設定させた目標輝度に基づいて輝度調整情報を生成させる。そして、アプリケーション実行部２４６は、設定させた輝度調整情報に基づいて輝度調整部２２３に放送映像Ｂｉ２１と輝度設定画面Ｌｃ２１の輝度を調整させる。
【００９１】
以上に説明したように、本実施形態に係る受信装置２０は、番組のサービスの制御に関する制御情報に基づいて所定のアプリケーションプログラムが指示する処理の実行を制御するアプリケーション制御部２４５を備える。アプリケーションプログラムは、受信装置２０のコンピュータに輝度設定画面を出力させ、目標輝度を設定させる。
この構成により、番組の制御に関する制御情報に基づいて、所定のアプリケーションプログラムで指示される処理の実行が制御される。実行が制御される処理として輝度設定画面が表示され、輝度設定画面が有する調整点への操作に応じて目標輝度が設定される。そのため、アプリケーションプログラムを提供する放送事業者もしくはコンテンツ提供者は、ＨＤＲ映像の輝度の設定を放送における付加サービスとして提供することができる。
【００９２】
以上、この発明の実施形態について図面を参照して詳述してきたが、具体的な構成は上述の実施形態に限られるものではなく、この発明の要旨を逸脱しない範囲の設計等も含まれる。上述の実施形態において説明した各構成は、任意に組み合わせることができる。
【００９３】
上述した実施形態では、輝度情報がＭＨ−ＥＩＴに記述されて放送信号で搬送される場合を例にしたが、これには限られない。送信装置１０のサービス情報取得部１４０は、輝度情報をＭＨ−ＥＩＴに代えて、ＭＰＴに記述してサービス情報を生成してもよい。輝度情報は、例えば、ＭＰＴのＭＰＴ記述子領域または番組を構成する映像に係るアセット記述子領域に記述される。受信装置２０のサービス情報処理部２４２は、サービス情報に含まれるＭＰＴのＭＰＴ記述子領域または当該アセット記述子領域から輝度情報を読み取る。当該アセット記述子領域に輝度情報を記述することで、番組を構成する映像が複数系統ある場合において、輝度調整部２２３は、記述される輝度情報を用いる輝度の調整に係る処理の対象となる映像を直ちに特定することができる。
【００９４】
なお、上述した実施形態では、放送システム１がメディアトランスポート方式としてＭＭＴ方式を用いる例について説明したが、これには限られない。放送システム１は、例えば、ＭＰＥＧ−２  ＴＳ方式やＲＴＰ（Ｒｅａｌ−ｔｉｍｅ  Ｔｒａｎｓｐｏｒｔ  Ｐｒｏｔｏｃｏｌ）方式などが用いられてもよい。
【００９５】
なお、上述では、輝度設定画面に含まれる調整点の数が２個であり、各調整点が輝度の最大値、最小値を表し、その最大値、最小値の設定に用いられる場合を例にしたが、これには限られない。輝度設定画面には、輝度の最大値を表し、その最大値の設定に用いられる調整点の数は１個または３個以上であってもよい。調整点の数が１個である場合には、輝度設定部２４４は、対象輝度、目標輝度の最小値をＨＤＲ所定の輝度値の最小値（例えば、基準黒レベル）に設定すればよい。
【００９６】
なお、上述した発明は、次の態様でも実施することができる。
（１）番組のサービス情報に基づいて前記番組の映像が標準の輝度範囲よりも広い輝度範囲を有する高ダイナミックレンジ映像であると判定されるとき指示対象の所定の対象輝度に係る調整点を有する輝度設定画面を出力する表示情報出力部と、操作に基づいて前記調整点の目標輝度を設定する輝度設定部と、前記目標輝度を示す輝度調整情報に基づいて、前記調整点の輝度と前記映像の輝度を調整する輝度調整部と、を備える受信装置。
【００９７】
（２）前記輝度設定画面は、少なくとも前記対象輝度が前記映像の最大輝度である調整点を１個有し、前記輝度調整部は、前記映像の輝度を前記対象輝度で与えられる輝度範囲内の輝度から前記目標輝度で与えられる輝度範囲内の輝度に調整する（１）の受信装置。
【００９８】
（３）前記輝度設定部は、前記サービス情報が示す前記映像の輝度情報に基づいて前記対象輝度を設定する（１）または（２）の受信装置。
【００９９】
（４）前記輝度設定部は、前記輝度調整情報を記憶部に記憶させ、前記輝度調整部は、前記記憶部に記憶された輝度調整情報に基づいて前記映像の輝度を調整する（１）から（３）のいずれかの受信装置。
【０１００】
（５）前記表示情報出力部は、前記番組の映像が高ダイナミックレンジ映像であると判定されるとき、前記番組の映像の輝度範囲が高ダイナミックレンジ映像であることを示す輝度範囲情報を出力する（１）から（４）のいずれかの受信装置。
【０１０１】
（６）前記番組のサービスの制御に関する制御情報に基づいて所定のアプリケーションプログラムが指示する処理の実行を制御するアプリケーション制御部を備え、
前記アプリケーションプログラムは、自装置のコンピュータに前記輝度設定画面を出力させ、前記目標輝度を設定させる（１）から（５）のいずれかの受信装置。
【０１０２】
（７）送信装置と受信装置を備える放送システムであって、前記送信装置は、映像を含む番組と前記番組のサービス情報を送信し、前記受信装置は、前記サービス情報に基づいて前記番組の映像が標準の輝度範囲よりも広い輝度範囲を有する高ダイナミックレンジ映像であると判定されるとき指示対象の所定の対象輝度に係る調整点を有する輝度設定画面を出力する表示情報出力部と、操作に基づいて前記調整点の目標輝度を設定する輝度設定部と、前記目標輝度を示す輝度調整情報に基づいて、前記調整点の輝度と前記映像の輝度を調整する輝度調整部と、を備える放送システム。
【０１０３】
（８）前記受信装置からの要求に応じて所定のアプリケーションプログラムを通信で送信する通信装置を備え、前記受信装置は、前記番組のサービスの制御に関する制御情報に基づいて所定のアプリケーションプログラムが指示する処理の実行を制御するアプリケーション制御部を備え、前記アプリケーションプログラムは、自装置のコンピュータに
前記輝度設定画面を出力させ、前記目標輝度を設定させる（７）の放送システム。
【０１０４】
また、上述の送信装置１０、受信装置２０およびサーバ装置３０の機能を実現するためのプログラムをコンピュータ読み取り可能な記録媒体に記録して、この記録媒体に記録されたプログラムをコンピュータシステムに読み込ませ、実行することにより送信装置１０、受信装置２０およびサーバ装置３０を実現してもよい。当該プログラムは、第２の実施形態において説明したアプリケーションプログラムとは別個のプログラムであるが、その一部の機能が当該アプリケーションプログラムに基づいて実現されてもよい。ここで、「記録媒体に記録されたプログラムをコンピュータシステムに読み込ませ、実行する」とは、コンピュータシステムにプログラムをインストールすることを含む。ここでいう「コンピュータシステム」とは、ＯＳや周辺機器等のハードウェアを含むものとする。また、「コンピュータシステム」は、インターネットやＷＡＮ、ＬＡＮ、専用回線等の通信回線を含むネットワークを介して接続された複数のコンピュータ装置を含んでもよい。
【０１０５】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。このように、プログラムを記憶した記録媒体は、ＣＤ−ＲＯＭ等の非一過性の記録媒体であってもよい。また、記録媒体には、当該プログラムを配信するために配信サーバからアクセス可能な内部または外部に設けられた記録媒体も含まれる。配信サーバの記録媒体に記憶されるプログラムのコードは、端末装置で実行可能な形式のプログラムのコードと異なるものでもよい。すなわち、配信サーバからダウンロードされて端末装置で実行可能な形でインストールができるものであれば、配信サーバで記憶される形式は問わない。
【０１０６】
なお、プログラムを複数に分割し、それぞれ異なるタイミングでダウンロードした後に端末装置で一体化する構成や、分割されたプログラムのそれぞれを配信する配信サーバが異なっていてもよい。さらに「コンピュータ読み取り可能な記録媒体」とは、ネットワークを介してプログラムが送信された場合のサーバやクライアントとなるコンピュータシステム内部の揮発性メモリ（ＲＡＭ）のように、一定時間プログラムを保持しているものも含むものとする。また、上記プログラムは、上述した機能の一部を実現するためのものであってもよい。さらに、上述した機能をコンピュータシステムに既に記録されているプログラムとの組み合わせで実現できるもの、いわゆる差分ファイル（差分プログラム）であってもよい。
【０１０７】
１…放送システム、１０…送信装置、２０…受信装置、２２…表示部、２３…拡声部、３０…サーバ装置、１１０…符号化制御部、１２０…映像符号化部、１３０…音声符号化部、１４０…サービス情報取得部、１５０…多重化部、１６０…暗号化部、１７０…送信部、２１０…放送受信部、２１１…復号部、２１２…分離部、２１５…入力部、２２１…映像復号部、２２２…映像処理部、２２３…輝度調整部、２３１…音声復号部、２４０…制御部、２４１…選局部、２４２…サービス情報処理部、２４３…表示情報取得部、２４４…輝度設定部、２４５…アプリケーション制御部、２４６…アプリケーション実行部、２５０…記憶部、２６０…通信部、ＢＴ…放送伝送路、ＢＳ…放送衛星、ＣＴ…通信伝送路、ＲＣ…制御装置
【図１】
2017169133.tif 000003
【図２】
2017169133.tif 000004
【図３】
2017169133.tif 000005
【図４】
2017169133.tif 000006
【図５】
2017169133.tif 000007
【図６】
2017169133.tif 000008
【図７】
2017169133.tif 000009
【図８】
2017169133.tif 000010
【図９】
2017169133.tif 000011
【図１０】
2017169133.tif 000012
【図１１】
2017169133.tif 000013
【図１２】
2017169133.tif 000014
【図１３】
2017169133.tif 000015